(57)【要約】【課題】しかしながら、特許文献１に示す従来の方法は、画面表示された内容に基づいて手動で視聴予約を録画予約に変更することはできるが、視聴予約された番組が視聴されていない場合に、自動的にその視聴予約を録画予約に変更することはできなかった。【解決手段】本件発明は、上記課題に鑑みなされたものである。第一の発明は、番組受信部と、受信する番組を録画するための録画部と、受信する番組の視聴予約をするための視聴予約部と、番組を視聴のために出力する出力部と、視聴予約部にて予約された番組が視聴されているか判断する判断部と、を有する記録再生装置に関する。【選択図】図１
2007215060.tif 000002
【特許請求の範囲】
【請求項１】
番組受信部と、
受信する番組を録画するための録画部と、
受信する番組の視聴予約をするための視聴予約部と、
番組を視聴のために出力する出力部と、
視聴予約部にて予約された番組が視聴されているか判断する判断部と、
を有する記録再生装置。
【請求項２】
判断部での判断結果が視聴されていないとの判断結果である場合にはその視聴予約された番組を録画部に録画させるための制御をする制御部をさらに有する請求項１に記載の記録再生装置。
【請求項３】
ＥＰＧを出力するためのＥＰＧ出力部であって、判断部での判断結果が視聴されていないとの判断結果である場合には、ＥＰＧの該当する番組表示に未視聴を示す情報を付す未視聴表示ＥＰＧ出力部を有する請求項１又は２に記載の記録再生装置。
【請求項４】
ＥＰＧを出力するためのＥＰＧ出力部であって、判断部での判断結果が視聴されていないとの判断結果であり、かつ、視聴予約された番組を録画部に録画させる場合には、ＥＰＧの該当する番組表示に未視聴録画を示す情報を付す未視聴録画表示ＥＰＧ出力部を有する請求項１から３のいずれか一に記載の記録再生装置。
【請求項５】
受信する番組の視聴予約をするための視聴予約ステップと、
視聴予約ステップにて予約された番組が視聴されているか判断する判断ステップと、
からなる工程を有する記録再生装置の動作方法。
【請求項６】
判断ステップでの判断結果が視聴されていないとの判断結果である場合にはその視聴予約された番組を録画ステップに録画させるための制御をする制御ステップをさらに有する請求項５に記載の記録再生装置の動作方法。
【発明の詳細な説明】
【技術分野】
【０００１】
本発明は、視聴予約を録画予約に変更が可能な記録再生装置に関する。
【背景技術】
【０００２】
従来、特許文献１に開示されているように、録画予約と視聴予約が可能な放送受信機において、録画予約および視聴予約がなされた番組案内画面を有する装置が提案されている。
【特許文献１】特開２００２−１１２１４２
【発明の開示】
【発明が解決しようとする課題】
【０００３】
しかしながら、特許文献１に示す従来の方法は、画面表示された内容に基づいて手動で視聴予約を録画予約に変更することはできるが、視聴予約された番組が視聴されていない場合に、自動的にその視聴予約を録画予約に変更することはできなかった。
【課題を解決するための手段】
【０００４】
本件発明は、上記課題に鑑みなされたものである。
【０００５】
第一の発明は、番組受信部と、受信する番組を録画するための録画部と、受信する番組の視聴予約をするための視聴予約部と、番組を視聴のために出力する出力部と、視聴予約部にて予約された番組が視聴されているか判断する判断部と、を有する記録再生装置に関する。
【０００６】
第二の発明は、判断部での判断結果が視聴されていないとの判断結果である場合にはその視聴予約された番組を録画部に録画させるための制御をする制御部をさらに有する第一の発明に記載の記録再生装置に関する。
【０００７】
第三の発明は、ＥＰＧを出力するためのＥＰＧ出力部であって、判断部での判断結果が視聴されていないとの判断結果である場合には、ＥＰＧの該当する番組表示に未視聴を示す情報を付す未視聴表示ＥＰＧ出力部を有する第一の発明又は第二の発明に記載の記録再生装置に関する。
【０００８】
第四の発明は、ＥＰＧを出力するためのＥＰＧ出力部であって、判断部での判断結果が視聴されていないとの判断結果であり、かつ、視聴予約された番組を録画部に録画させる場合には、ＥＰＧの該当する番組表示に未視聴録画を示す情報を付す未視聴録画表示ＥＰＧ出力部を有する第一の発明から第三の発明のいずれか一に記載の記録再生装置に関する。
【発明の効果】
【０００９】
本件発明によれば、視聴予約した番組であっても、急用ができた場合や、他のチャンネルの番組が延長され、視聴予約の番組が視聴できないことがあっても、視聴予約を録画予約に変更することができる。
【発明を実施するための最良の形態】
【００１０】
以下に本件発明の実施形態を説明する。実施形態と、請求項との関係はおおむね次のようなものである。
実施形態１は、主に、請求項１、請求項５などについて説明している。
実施形態２は、主に、請求項２、請求項６などについて説明している。
実施形態３は、主に、請求項３について説明している。
実施形態４は、主に、請求項４について説明している。
【００１１】
なお、以下に記載する各機能ブロックは、ハードウェア、又はメモリ上に展開しハードウェアを制御することでその作用が得られるソフトウェア、又はハードウェア及びソフトウェアの両方として実現され得る。具体的には、コンピュータを利用するものであれば、ＣＰＵやメモリ、ハードディスクドライブ、ＣＤ−ＲＯＭやＤＶＤ−ＲＯＭなどの読取ドライブ、各種通信用の送受信ポート、インターフェース、その他の周辺装置などのハードウェア構成部や、それらハードウェアを制御するためのドライバプログラムやその他アプリケーションプログラムなどが挙げられる。
【００１２】
また、この発明は装置またはシステムとして実現できるのみでなく、方法としても実現可能である。また、このような発明の一部をソフトウェアとして構成することもできる。さらに、そのようなソフトウェアをコンピュータに実行させるために用いるソフトウェア製品、及び同製品を記録媒体に固定した記録媒体も、当然にこの発明の技術的な範囲に含まれる。（本明細書の全体を通じて同様である。）
【００１３】
以下に、図を用いて本発明の実施の形態を説明する。なお、本発明はこれら実施の形態に何ら限定されるものではなく、その要旨を逸脱しない範囲において、種々なる態様で実施しうる。
【００１４】
<<実施形態１>>
以下に、実施形態１について説明する。
<実施形態１の概念>
以下に本実施形態の概念について説明する。
図１は、本実施形態の概念の一例を示すための図である。本実施形態の記録再生装置は、視聴予約部０１０１が受信する番組（５月１日（日）１９：００〜２１：００、１チャンネル「Ｗ杯サッカー日本ｖｓブラジル」）の視聴予約を行い、出力部０１０２が番組を出力する。そして判断部は、出力部が視聴予約された番組を出力しているか判断する。この場合には、出力部は視聴予約された番組（５月１日（日）１９：００〜２１：００、１チャンネル「Ｗ杯サッカー日本ｖｓブラジル」）を出力しているので、出力部は、視聴予約部にて予約された番組が<視聴されている>と判断する。
【００１５】
<構成要件の明示>
以下に、本実施形態の構成要件を明示する。
図２は、本実施形態の機能ブロックの一例を示すための図である。記録再生装置０２００は、番組受信部０２０１と、録画部０２０２と、視聴予約部０２０３と、出力部０２０４と、判断部０２０５と、からなる。
【００１６】
<構成要件の説明>
以下に、本実施形態の構成要件について説明をする。
【００１７】
（番組受信部）
「番組受信部」は、番組を受信するように構成されている。ここで「番組」には、一例として、アナログ地上波放送、ＢＳアナログ放送、デジタル地上波放送、ＢＳデジタル放送、ＣＳ放送などで放送される番組が挙げられる。また、受信は、インターネット放送、有線テレビ放送の受信も含む。番組受信部で受信された番組は、録画部、視聴予約部、出力部に出力されるなどして利用される。
【００１８】
（録画部）
「録画部」は、受信する番組を録画するように構成されている。ここで録画部が録画する時間は、番組全体であってもよいし、最初の一部の時間（例えば５分間）であってもよい。また、録画部は、後述する視聴予約部にて視聴予約された番組を録画するように構成されていてもよい。それは設計事項である。また録画部での録画は、一例として、ＨＤＤ（Ｈａｒｄ  Ｄｉｓｋ  Ｄｒｉｖｅ）、ＤＶＤ（Ｄｉｇｉｔａｌ  Ｖｅｒｓａｔｉｌｅ  Ｄｉｓｋ）ドライブ、半導体記憶装置などを利用して行われる。録画部で録画された番組は、出力部に出力されるなどして利用される。
【００１９】
（視聴予約部）
「視聴予約部」は、受信する番組の視聴予約をするように構成されている。視聴予約は、一例として、利用者がリモコンを操作して視聴を予約する番組の視聴予約ボタンを押下することにより行われる。視聴予約された番組は、出力部、判断部に出力されるなどして利用される。
図３は、視聴予約された番組のリストの一例を示すための図である。図３においては、例えば、番組（５月１日（日）１９：００〜２１：００、１チャンネル「Ｗ杯サッカー日本ｖｓブラジル」）が視聴予約されている。
【００２０】
（出力部）
「出力部」は、番組を視聴のために出力するように構成されている。出力部は、一例として、映像出力信号生成回路（ＡＶデコーダともいう）、ディスプレイドライバ、ディスプレイなどで構成されている。出力部は、番組受信部で受信した番組をディスプレイの規格に適合するようにフォーマットを変換したりする。また出力部は、一例として、テレビ入力、ビデオ入力、ＤＶＤ入力、ゲーム入力などの複数の入力を択一的に選択して出力するように構成されている。出力部が番組を出力しているか否かを示す信号は、判断部に出力されるなどして利用される。
【００２１】
（判断部）
「判断部」は、視聴予約部にて予約された番組が視聴されているか判断するように構成されている。ここで判断部は、一例として、視聴予約された番組の受信開始時刻と受信チャンネルに基づいて、視聴予約部にて予約された番組が視聴されているか判断する。判断部が判断する時点は、以下の３つの場合が考えられる。第一に、視聴予約された番組の受信開始時刻直前に判断する場合である。この場合には、視聴予約された番組の受信開始時刻直前に出力部から出力される番組出力信号が、視聴予約された番組のチャンネルの信号であるかどうか判断する。第二に、視聴予約された番組の受信開始時刻に判断する場合である。この場合には、視聴予約された番組の受信開始時刻に出力部から出力される番組出力信号が、視聴予約された番組のチャンネルの信号であるかどうか判断する。第三に、視聴予約された番組の受信開始時刻直後に判断する場合である。この場合には、視聴予約された番組の受信開始時刻直後に出力部から出力される番組出力信号が、視聴予約された番組のチャンネルの信号であるかどうか判断する。また判断部が、視聴予約されていないと判断する場合には、一例として、以下のような場合がある。第一に、出力部の出力がない場合である。第二に、出力部の出力されている番組のチャンネルが視聴予約された番組のチャンネルと違う場合である。第三に、出力部からの出力が、視聴予約されているチャンネルから他のチャンネルに強制的に切り替えられた場合である。
【００２２】
以下に、一例として、判断部が、視聴予約部にて予約された番組が視聴されているか判断する方法について説明する。まず判断部は、視聴予約部にて予約された番組のチャンネルと日付と受信開始時刻を入力する。次に視聴予約部にて予約された番組の日付と受信開始時刻において、出力部から予約されたチャンネルの番組が出力されているかどうかをチェックする。チェックの結果、出力部から視聴予約されたチャンネルの番組が出力されている場合には、視聴予約された番組が視聴されていると判断し、出力されていない場合には、視聴予約された番組が視聴されていないと判断する。
【００２３】
（ハードウェア構成図）
以下に、本実施形態のハードウェア構成の一例について説明する。
図４は、本実施形態の記録再生装置のハードウェア構成の一例を示す概略図である。この図を利用して、記録再生装置のそれぞれのハードウェア構成部の働きについて説明する。この図にあるように、記録再生装置０４００は、番組受信部０４０１に「アンテナ」（０４０６）と、「チューナ」（０４０７）と、「ＡＶデコーダ」（０４１６）と、を備えている。また、記録再生装置は、録画部０４０２、視聴予約部０４０３、判断部０４０５に「ＣＰＵ（中央処理装置）」（０４０８）と、「主メモリ」（０４０９）と、「記憶装置」（０４１０）と、「内蔵時計」（０４１１）と、を備えている。また、記録再生装置は、出力部０４０４に「ディスプレイ」（０４１２）と、「ディスプレイドライバ」（０４１３）と、を備えている。また、記録再生装置は、「入力インターフェース」（０４１４）を備えている。そして、それらが「システムバス」（０４１５）などのデータ通信経路によって相互に接続され、情報の送受信や処理を行う。
【００２４】
記憶装置は、ＣＰＵにて実行される各種プログラム（例えば録画用プログラム（録画部）、視聴予約用プログラム（視聴予約部）、判断用プログラム（判断部）など）や、録画番組、視聴予約番組などを記憶している。またＣＰＵは、記憶装置に記憶されているプログラムを実行するために読み出す。それと同時に主メモリは、そのプログラムの作業領域でもあるワーク領域を提供する。また、主メモリや記憶装置にはそれぞれメモリアドレスが割り当てられており、ＣＰＵで実行されるプログラムは、そのメモリアドレスを特定しアクセスすることで相互にデータのやり取りを行い、処理を行うことが可能になっている。また内蔵時計は、現在時間を計時し出力する機能を備える。また、番組受信部は、アンテナ、チューナを介して受信したデジタルテレビ放送を受信し、ＡＶデコーダがフォーマット変換する。また、出力部のディスプレイドライバは、番組受信部が受信した番組をディスプレイの規格に適合するフォーマットに変換し、ディスプレイに表示する。また、入力インターフェースは、視聴予約番組を入力する。以上が各ハードウェア構成の機能である。
【００２５】
以下に、予約された番組が視聴されているか判断する場合について説明する。現在日時が５月１日１９：００であるとする。まず記録再生装置の電源を入れると、記憶装置に記憶されている録画用プログラム（アドレス０１）、視聴予約用プログラム（アドレス０２）、判断用プログラム（アドレス０３）が主メモリのワーク領域（アドレス１１、１２、１３）にそれぞれ展開される。また、番組受信部は、常時、アンテナ、チューナを介して番組を受信し、ＡＶデコーダでフォーマット変換する。視聴予約用プログラムは、入力インターフェースからの入力に基づいて、視聴予約番組（５月１日（日）１９：００〜２１：００、１チャンネル「Ｗ杯サッカー日本ｖｓブラジル」）を取得し、記憶装置のアドレス０５に記録する。録画用プログラムは、視聴予約された番組情報を一定時間、記憶装置のアドレス０４に記録する。出力部は、番組受信部が受信する番組情報を、ディスプレイドライバを介してディスプレイに出力する。判断用プログラムは、アドレス０５に格納された視聴予約番組情報と、出力部が出力する番組情報（５月１日（日）１９：００〜２１：００、１チャンネル「Ｗ杯サッカー日本ｖｓブラジル」）とを比較し、視聴予約番組が視聴されていると判断する。なお、以上の説明においては、録画部と、視聴予約部と、判断部とは、ソフトウェアで構成されているものとして説明したが、ハードウェアで構成されていてもよい。
【００２６】
<処理の流れ>
以下に、本実施形態の処理の流れについて説明する。なお、以下に示す処理の流れは、方法、計算機に実行させるためのプログラム、またはそのプログラムが記録された読み取り可能な記録媒体として実施されうる（これは、本明細書のその他の処理の流れについても同様である）。
図５は、本実施形態の処理の流れの一例を示すための図である。
まず、視聴予約ステップは、受信する番組の視聴予約をする。
次に、判断ステップは、視聴予約があるかどうか判断する。判断の結果、視聴予約がある場合にはステップＳ０５０２に進み、視聴予約がない場合には、ステップＳ０５０１に戻る。（ステップＳ０５０１）。
次に、判断ステップは、視聴予約がある場合に、予約時刻になったかどうか判断する。判断の結果、予約時刻になっている場合にはステップＳ０５０３に進み、予約時刻になっていない場合には、ステップＳ０５０２に戻る。（ステップＳ０５０２）。
次に、判断ステップは、視聴予約があり、予約時刻になった場合に、予約チャンネルが選局されているかどうか判断する。判断の結果、予約チャンネルが選局されている場合にはステップＳ０５０４に進み、予約チャンネルが選局されていない場合には、ステップＳ０５０７に進む。（ステップＳ０５０３）。
次に、判断ステップは、視聴予約があり、予約時刻になり、予約チャンネルが選局されている場合に、視聴のための出力があるかどうか判断する。判断の結果、視聴のための出力がある場合にはステップＳ０５０５に進み、視聴のための出力がない場合には、ステップＳ０５０７に進む。（ステップＳ０５０４）。
次に、判断ステップは、視聴予約があり、予約時刻になり、予約チャンネルが選局されており、視聴のための出力がある場合には、番組は視聴されていると判断し、ステップＳ０５０６に進む。（ステップＳ０５０５）。
次に、判断ステップは、処理を終了するかどうか判断する。判断の結果、終了する場合には処理を終了し、終了しない場合には、ステップＳ０５０１に戻る。（ステップＳ０５０６）。
次に、判断ステップは、予約チャンネルが選局されていない場合、あるいは視聴のための出力がない場合には、番組は視聴されていないと判断し、ステップＳ０５０６に進む。（ステップＳ０５０７）。
【００２７】
<実施形態１の効果の簡単な説明>
本実施形態の記録再生装置によれば、予約された番組が視聴されているか判断することができる。
【００２８】
<<実施形態２>>
以下に、実施形態２について説明する。
<実施形態２の概念>
以下に本実施形態の概念について説明する。本実施形態の記録再生装置は、判断部での判断結果が視聴されていないとの判断結果である場合にはその視聴予約された番組を録画部に録画させるための制御をする制御部をさらに有する実施形態１に記載の記録再生装置に関する。
【００２９】
<構成要件の明示>
以下に、本実施形態の構成要件を明示する。
図６は、本実施形態の機能ブロックの一例を示すための図である。記録再生装置０６００は、番組受信部０６０１と、録画部０６０２と、視聴予約部０６０３と、出力部０６０４と、判断部０６０５と、制御部０６０６と、からなる。
【００３０】
<構成要件の説明>
以下に、本実施形態の構成要件について説明をする。
【００３１】
（番組受信部）、（録画部）、（視聴予約部）、（出力部）、（判断部）
「番組受信部」、「録画部」、「視聴予約部」、「出力部」、「判断部」については、実施形態1と同様であるので説明を省略する。
【００３２】
（制御部）
「制御部」は、判断部での判断結果が視聴されていないとの判断結果である場合にはその視聴予約された番組を録画部に録画させるための制御をするように構成されている。ここで「録画させるための制御」とは、その視聴予約番組のチャンネルと時刻に放送を受信して録画部に録画させる処理のことをいう。なお「録画させるための制御」には、録画、録画予約の両者を含むものとする。ただし「録画させるための制御」には、バリエーションとして、以下のような方法が挙げられる。判断部が判断する時点に応じて視聴予約された番組を録画部に録画させる時刻を決定する方法であり、以下の３つの場合が考えられる。第一に、視聴予約された番組の受信開始時刻直前に視聴予約番組が視聴されていないと判断する場合である。この場合には、視聴予約された番組の受信開始時刻直前に視聴予約された番組を録画部に録画させるための制御を行う。第二に、視聴予約された番組の受信開始時刻に視聴予約番組が視聴されていないと判断する場合である。この場合には、視聴予約された番組の受信開始時刻に視聴予約された番組を録画部に録画させるための制御を行う。第三に、視聴予約された番組の受信開始時刻直後に視聴予約番組が視聴されていないと判断する場合である。この場合には、視聴予約された番組の受信開始時刻直後に視聴予約された番組を録画部に録画させるための制御を行う。
【００３３】
上記の方法において、第三の、視聴予約された番組の受信開始時刻直後に視聴予約番組が視聴されていないと判断する場合に、視聴予約された番組を録画部に録画させるための制御には以下のようなものが挙げられる。この場合には、視聴予約時刻直後に録画を行うように制御する。そのため、視聴予約された番組の受信開始時刻から録画の制御時刻までの番組内容が欠落してしまう。これを防止するために、録画部は、視聴予約された番組の受信開始時刻から録画の制御時刻までの番組内容を必ず録画しておくように構成される。
【００３４】
なお、「録画させるための制御」には、視聴予約の実行の優先順位をつけておく方法もある。これは、例えば、出力部からの出力の優先順位が、１．ＤＶＤからの出力、２．視聴予約番組の出力、３．ビデオからの出力の順番であるとする。このとき、視聴予約時刻直前に、１．ＤＶＤからの出力がある場合には、１．ＤＶＤからの出力の方が、２．視聴予約番組の出力よりも優先順位が高いので、視聴予約時刻に視聴予約番組が視聴されていないと判断し、視聴予約された番組を録画部に録画させるように制御する。次に、視聴予約時刻直前に、２．視聴予約番組の出力がある場合には、視聴予約時刻に視聴予約番組が視聴されていると判断し、視聴予約された番組を録画部に録画させないように制御する。次に、視聴予約時刻直前に、３．ビデオからの出力がある場合には、３．ビデオからの出力の方が、２．視聴予約番組の出力よりも優先順位が低いので、ビデオからの出力を視聴予約番組の出力に切り替える。そして視聴予約時刻に視聴予約番組が視聴されていると判断し、視聴予約された番組を録画部に録画させないように制御する。
図７は、視聴予約番組、録画予約番組のリストの一例を示すための図である。図７（１）においては、例えば、番組（予約種別：視聴、変更フラグ：なし、５月１日（日）１９：００〜２１：００、１チャンネル「Ｗ杯サッカー日本ｖｓブラジル」）が予約されている。この状態から、制御部は、判断部での判断結果が視聴されていないとの判断結果である場合には、図７（２）に示すように、予約種別を録画に変更し、変更フラグ「１」を設定し、その視聴予約された番組を録画部に録画させるための制御を行う。
【００３５】
（ハードウェア構成図）
以下に、本実施形態のハードウェア構成の一例について説明する。
図８は、本実施形態の記録再生装置のハードウェア構成の一例を示す概略図である。この図を利用して、記録再生装置のそれぞれのハードウェア構成部の働きについて説明する。この図にあるように、記録再生装置０８００は、番組受信部０８０１に「アンテナ」（０８０６）と、「チューナ」（０８０７）と、「ＡＶデコーダ」（０８１６）と、を備えている。また、記録再生装置は、録画部０８０２、視聴予約部０８０３、判断部０８０５、制御部０８１６に「ＣＰＵ（中央処理装置）」（０８０８）と、「主メモリ」（０８０９）と、「記憶装置」（０８１０）と、「内蔵時計」（０８１１）と、を備えている。また、記録再生装置は、出力部０８０４に「ディスプレイ」（０８１２）と、「ディスプレイドライバ」（０８１３）と、を備えている。また、記録再生装置は、「入力インターフェース」（０８１４）を備えている。そして、それらが「システムバス」（０８１５）などのデータ通信経路によって相互に接続され、情報の送受信や処理を行う。
【００３６】
記憶装置は、ＣＰＵにて実行される各種プログラム（例えば録画用プログラム（録画部）、視聴予約用プログラム（視聴予約部）、判断用プログラム（判断部）、制御用プログラム（制御部）など）や、録画番組、視聴予約番組などを記憶している。その他の点は実施形態1と同様であるので説明を省略する。以上が各ハードウェア構成の機能である。
【００３７】
以下に、視聴予約された番組を録画部に録画させるための制御をする場合について説明する。現在日時が５月１日１９：００であるとする。まず記録再生装置の電源を入れると、記憶装置に記憶されている録画用プログラム（アドレス０１）、視聴予約用プログラム（アドレス０２）、判断用プログラム（アドレス０３）、制御用プログラム（アドレス０６）が主メモリのワーク領域（アドレス１１、１２、１３、１５）にそれぞれ展開される。また、番組受信部は、常時、アンテナ、チューナを介して番組を受信し、ＡＶデコーダでフォーマット変換する。視聴予約用プログラムは、入力インターフェースからの入力に基づいて、視聴予約番組情報（５月１日（日）１９：００〜２１：００、１チャンネル「Ｗ杯サッカー日本ｖｓブラジル」）を取得し、記憶装置のアドレス０５に記録する。録画用プログラムは、視聴予約された番組情報を一定時間、記憶装置のアドレス０４に記録する。出力部は、番組受信部が受信する番組情報を、ディスプレイドライバを介してディスプレイに出力する。判断用プログラムは、アドレス０５に格納された視聴予約番組情報と、出力部が出力する番組（５月１日（日）１９：００〜２０：００、２チャンネル「ニュース特番」）とを比較し、視聴予約番組が視聴されていないと判断する。制御用プログラムは、その視聴予約された番組を録画部に録画させるための制御をする。なお、以上の説明においては、録画部と、視聴予約部と、判断部と、制御部とは、ソフトウェアで構成されているものとして説明したが、ハードウェアで構成されていてもよい。
【００３８】
<処理の流れ>
以下に、本実施形態の処理の流れについて説明する。
図９は、本実施形態の処理の流れの一例を示すための図である。
まず、視聴予約ステップは、受信する番組の視聴予約をする。
次に、判断ステップは、視聴予約があるかどうか判断する。判断の結果、視聴予約がある場合にはステップＳ０９０２に進み、視聴予約がない場合には、ステップＳ０９０１に戻る。（ステップＳ０９０１）。
次に、判断ステップは、視聴予約がある場合に、予約時刻になったかどうか判断する。判断の結果、予約時刻になっている場合にはステップＳ０９０３に進み、予約時刻になっていない場合には、ステップＳ０９０２に戻る。（ステップＳ０９０２）。
次に、判断ステップは、視聴予約があり、予約時刻になった場合に、予約チャンネルが選局されているかどうか判断する。判断の結果、予約チャンネルが選局されている場合にはステップＳ０９０４に進み、予約チャンネルが選局されていない場合には、ステップＳ０９０７に進む。（ステップＳ０９０３）。
次に、判断ステップは、視聴予約があり、予約時刻になり、予約チャンネルが選局されている場合に、視聴のための出力があるかどうか判断する。判断の結果、視聴のための出力がある場合にはステップＳ０９０５に進み、視聴のための出力がない場合には、ステップＳ０９０７に進む。（ステップＳ０９０４）。
次に、判断ステップは、視聴予約があり、予約時刻になり、予約チャンネルが選局されており、視聴のための出力がある場合には、番組は視聴されていると判断し、ステップＳ０９０６に進む。（ステップＳ０９０５）。
次に、判断ステップは、処理を終了するかどうか判断する。判断の結果、終了する場合には処理を終了し、終了しない場合には、ステップＳ０９０１に戻る。（ステップＳ０９０６）。
次に、判断ステップは、予約チャンネルが選局されていない場合、あるいは視聴のための出力がない場合には、番組は視聴されていないと判断し、ステップＳ０９０８に進む。（ステップＳ０９０７）。
次に、制御ステップは、その視聴予約された番組を録画させるための制御をし、ステップＳ０９０６に進む。（ステップＳ０９０８）。
【００３９】
<実施形態２の効果の簡単な説明>
本実施形態の記録再生装置によれば、判断部での判断結果が視聴されていないとの判断結果である場合にはその視聴予約された番組を録画部に録画させるための制御をすることができる。
【００４０】
<<実施形態３>>
以下に、実施形態３について説明する。
<実施形態３の概念>
以下に本実施形態の概念について説明する。本実施形態の記録再生装置は、ＥＰＧを出力するためのＥＰＧ出力部であって、判断部での判断結果が視聴されていないとの判断結果である場合には、ＥＰＧの該当する番組表示に未視聴を示す情報を付す未視聴表示ＥＰＧ出力部を有する実施形態１又は２に記載の記録再生装置に関する。
【００４１】
<構成要件の明示>
以下に、本実施形態の構成要件を明示する。
図１０は、本実施形態の機能ブロックの一例を示すための図である。記録再生装置１００は、番組受信部１００１と、録画部１００２と、視聴予約部１００３と、出力部１００４と、判断部１００５と、未視聴表示ＥＰＧ出力部１００６と、からなる。また、記録再生装置は、制御部を有する構成であってもよい。
【００４２】
<構成要件の説明>
以下に、本実施形態の構成要件について説明をする。
【００４３】
（番組受信部）、（録画部）、（視聴予約部）、（出力部）、（判断部）、（制御部）
「番組受信部」、「録画部」、「視聴予約部」、「出力部」、「判断部」、「制御部」については、実施形態1又は２と同様であるので説明を省略する。
【００４４】
（未視聴表示ＥＰＧ出力部）
「未視聴表示ＥＰＧ出力部」は、ＥＰＧを出力するためのＥＰＧ出力部であって、判断部での判断結果が視聴されていないとの判断結果である場合には、ＥＰＧの該当する番組表示に未視聴を示す情報を付すように構成されている。以下に、ＥＰＧの該当する番組表示に未視聴を示す情報を付す方法の一例について説明する。まず、未視聴予約番組を特定する。次にＥＰＧの中で未視聴予約番組に該当する番組を特定する。次に特定したＥＰＧ情報を書き直し、未視聴を示す情報を組み込む。なお、特定したＥＰＧ情報を書き直すのではなくて、特定したＥＰＧ情報を示す表示に未視聴を示す情報の表示を重ね合わせるようにしてもよい。
【００４５】
以下にＥＰＧについて簡単に説明する。「ＥＰＧ（Ｅｌｅｃｔｒｏｎｉｃ  Ｐｒｏｇｒａｍ  Ｇｕｉｄｅ：電子番組ガイド）」とは、テレビの画面に表示するための電子番組表のことをいう。ＥＰＧは、一般的には、新聞のテレビ番組欄のような構成をしており、視聴者は、ＥＰＧ上で所望の番組を選択・視聴・予約することができる。ＥＰＧは、番組単位でデータが構成されており、番組単位で保存したり取り出したりすることができる。ＥＰＧは、例えば、当日から１週間先まで計８日分の番組情報を表示することができ、視聴予約・録画予約、ジャンル別検索なども可能である。またＥＰＧでは、基本情報として番組名（４０文字以内）や簡単な番組紹介（８０文字以内）を表示するとともに、詳細情報として番組内容・出演者など（２００文字以内）を表示することも可能である。また、番組表が見られるだけでなく、「ドラマ」「スポーツ」「映画」などのジャンル別検索、出演者などのキーワードによる番組検索なども可能である。またＥＰＧは、放送時間の変更にもリアルタイムに対応し、例えばスポーツ中継の延伸の時も、後の番組の放送時間の変更に対応することができる。
図１１は、ＥＰＧの該当する番組表示に未視聴を示す情報を付す一例を示すための図である。図１１において、例えば、番組（５月１日、１チャンネル、［字］［Ｓ］２０：００〜２１：００「ニュースの山」<番組概要>リブドアによる粉飾決算）が未視聴であるので「未視聴」のマークが付されている。
【００４６】
（ハードウェア構成図）
以下に、本実施形態のハードウェア構成の一例について説明する。
図１２は、本実施形態の記録再生装置のハードウェア構成の一例を示す概略図である。この図を利用して、記録再生装置のそれぞれのハードウェア構成部の働きについて説明する。この図にあるように、記録再生装置１２００は、番組受信部１２０１に「アンテナ」（１２０６）と、「チューナ」（１２０７）と、「ＡＶデコーダ」（１２１６）と、を備えている。また、記録再生装置は、録画部１２０２、視聴予約部１２０３、判断部１２０５、未視聴表示ＥＰＧ出力部１２１６に「ＣＰＵ（中央処理装置）」（１２０８）と、「主メモリ」（１２０９）と、「記憶装置」（１２１０）と、「内蔵時計」（１２１１）と、を備えている。また、記録再生装置は、出力部１２０４に「ディスプレイ」（１２１２）と、「ディスプレイドライバ」（１２１３）と、を備えている。また、記録再生装置は、「入力インターフェース」（１２１４）を備えている。そして、それらが「システムバス」（１２１５）などのデータ通信経路によって相互に接続され、情報の送受信や処理を行う。
【００４７】
記憶装置は、ＣＰＵにて実行される各種プログラム（例えば録画用プログラム（録画部）、視聴予約用プログラム（視聴予約部）、判断用プログラム（判断部）、未視聴表示ＥＰＧ出力用プログラム（未視聴表示ＥＰＧ出力部）など）や、録画番組、視聴予約番組などを記憶している。その他の点は実施形態1又は２と同様であるので説明を省略する。以上が各ハードウェア構成の機能である。
【００４８】
以下に、ＥＰＧの該当する番組表示に未視聴を示す情報を付す場合について説明する。まず記録再生装置の電源投入から、判断部が視聴予約番組が視聴されていないと判断するまでの動作は、実施形態１又は２と同様なので説明を省略する。未視聴表示ＥＰＧ出力用プログラムは、ＥＰＧの該当する番組表示に未視聴を示す情報を付す。なお、以上の説明においては、録画部と、視聴予約部と、判断部と、未視聴表示ＥＰＧ出力部とは、ソフトウェアで構成されているものとして説明したが、ハードウェアで構成されていてもよい。
【００４９】
<処理の流れ>
以下に、本実施形態の処理の流れについて説明する。
図１３は、本実施形態の処理の流れの一例を示すための図である。
まず、視聴予約ステップは、受信する番組の視聴予約をする。
次に、判断ステップは、視聴予約があるかどうか判断する。判断の結果、視聴予約がある場合にはステップＳ１３０２に進み、視聴予約がない場合には、ステップＳ１３０１に戻る。（ステップＳ１３０１）。
次に、判断ステップは、視聴予約がある場合に、予約時刻になったかどうか判断する。判断の結果、予約時刻になっている場合にはステップＳ１３０３に進み、予約時刻になっていない場合には、ステップＳ１３０２に戻る。（ステップＳ１３０２）。
次に、判断ステップは、視聴予約があり、予約時刻になった場合に、予約チャンネルが選局されているかどうか判断する。判断の結果、予約チャンネルが選局されている場合にはステップＳ１３０４に進み、予約チャンネルが選局されていない場合には、ステップＳ１３０７に進む。（ステップＳ１３０３）。
次に、判断ステップは、視聴予約があり、予約時刻になり、予約チャンネルが選局されている場合に、視聴のための出力があるかどうか判断する。判断の結果、視聴のための出力がある場合にはステップＳ１３０５に進み、視聴のための出力がない場合には、ステップＳ１３０７に進む。（ステップＳ１３０４）。
次に、判断ステップは、視聴予約があり、予約時刻になり、予約チャンネルが選局されており、視聴のための出力がある場合には、番組は視聴されていると判断し、ステップＳ１３０６に進む。（ステップＳ１３０５）。
次に、判断ステップは、処理を終了するかどうか判断する。判断の結果、終了する場合には処理を終了し、終了しない場合には、ステップＳ１３０１に戻る。（ステップＳ１３０６）。
次に、判断ステップは、予約チャンネルが選局されていない場合、あるいは視聴のための出力がない場合には、番組は視聴されていないと判断し、ステップＳ１３０８に進む。（ステップＳ１３０７）。
次に、未視聴表示ＥＰＧ出力ステップは、ＥＰＧの該当する番組表示に未視聴を示す情報を付す、ステップＳ１３０６に進む。（ステップＳ１３０８）。
【００５０】
<実施形態３の効果の簡単な説明>
本実施形態の記録再生装置によれば、判断部での判断結果が視聴されていないとの判断結果である場合には、ＥＰＧの該当する番組表示に未視聴を示す情報を付すことができる。
【００５１】
<<実施形態４>>
以下に、実施形態４について説明する。
<実施形態４の概念>
以下に本実施形態の概念について説明する。本実施形態の記録再生装置は、ＥＰＧを出力するためのＥＰＧ出力部であって、判断部での判断結果が視聴されていないとの判断結果であり、かつ、視聴予約された番組を録画部に録画させる場合には、ＥＰＧの該当する番組表示に未視聴録画を示す情報を付す未視聴録画表示ＥＰＧ出力部を有する実施形態１から３のいずれか一に記載の記録再生装置に関する。
【００５２】
<構成要件の明示>
以下に、本実施形態の構成要件を明示する。
図１４は、本実施形態の機能ブロックの一例を示すための図である。記録再生装置１００は、番組受信部１４０１と、録画部１４０２と、視聴予約部１４０３と、出力部１４０４と、判断部１４０５と、未視聴録画表示ＥＰＧ出力部１４０６と、からなる。また、記録再生装置は、制御部と、未視聴表示ＥＰＧ出力部と、を有する構成であってもよい。
【００５３】
<構成要件の説明>
以下に、本実施形態の構成要件について説明をする。
【００５４】
（番組受信部）、（録画部）、（視聴予約部）、（出力部）、（判断部）、（制御部）、（未視聴表示ＥＰＧ出力部）
「番組受信部」、「録画部」、「視聴予約部」、「出力部」、「判断部」、「制御部」、「未視聴表示ＥＰＧ出力部」については、実施形態１から３のいずれか一と同様であるので説明を省略する。
【００５５】
（未視聴録画表示ＥＰＧ出力部）
「未視聴録画表示ＥＰＧ出力部」は、ＥＰＧを出力するためのＥＰＧ出力部であって、判断部での判断結果が視聴されていないとの判断結果であり、かつ、視聴予約された番組を録画部に録画させる場合には、ＥＰＧの該当する番組表示に未視聴録画を示す情報を付すように構成されている。以下に、ＥＰＧの該当する番組表示に未視聴録画を示す情報を付す方法の一例について説明する。まず、未視聴録画予約番組を特定する。次にＥＰＧの中で未視聴録画予約番組に該当する番組を特定する。次に特定したＥＰＧ情報を書き直し、未視聴録画を示す情報を組み込む。なお、特定したＥＰＧ情報を書き直すのではなくて、特定したＥＰＧ情報を示す表示に未視聴録画を示す情報の表示を重ね合わせるようにしてもよい。
図１５は、ＥＰＧの該当する番組表示に未視聴録画を示す情報を付す一例を示すための図である。図１５において、例えば、番組（５月１日、１チャンネル、［字］［Ｓ］２０：００〜２１：００「ニュースの山」<番組概要>リブドアによる粉飾決算）が未視聴であるので「未視聴録画」のマークが付されている。
【００５６】
（ハードウェア構成図）
以下に、本実施形態のハードウェア構成の一例について説明する。
図１６は、本実施形態の記録再生装置のハードウェア構成の一例を示す概略図である。この図を利用して、記録再生装置のそれぞれのハードウェア構成部の働きについて説明する。この図にあるように、記録再生装置１６００は、番組受信部１６０１に「アンテナ」（１６０６）と、「チューナ」（１６０７）と、「ＡＶデコーダ」（１６１６）と、を備えている。また、記録再生装置は、録画部１６０２、視聴予約部１６０３、判断部１６０５、未視聴表示ＥＰＧ出力部１６１６に「ＣＰＵ（中央処理装置）」（１６０８）と、「主メモリ」（１６０９）と、「記憶装置」（１６１０）と、「内蔵時計」（１６１１）と、を備えている。また、記録再生装置は、出力部１６０４に「ディスプレイ」（１６１２）と、「ディスプレイドライバ」（１６１３）と、を備えている。また、記録再生装置は、「入力インターフェース」（１６１４）を備えている。そして、それらが「システムバス」（１６１５）などのデータ通信経路によって相互に接続され、情報の送受信や処理を行う。
【００５７】
記憶装置は、ＣＰＵにて実行される各種プログラム（例えば録画用プログラム（録画部）、視聴予約用プログラム（視聴予約部）、判断用プログラム（判断部）、未視聴録画表示ＥＰＧ出力用プログラム（未視聴録画表示ＥＰＧ出力部）など）や、録画番組、視聴予約番組などを記憶している。その他の点は実施形態１から３のいずれか一と同様であるので説明を省略する。以上が各ハードウェア構成の機能である。
【００５８】
以下に、ＥＰＧの該当する番組表示に未視聴録画を示す情報を付す場合について説明する。まず記録再生装置の電源投入から、判断部が視聴予約番組が視聴されていないと判断するまでの動作は、実施形態１から３のいずれか一と同様なので説明を省略する。未視聴録画表示ＥＰＧ出力用プログラムは、視聴予約された番組を録画部に録画させる場合には、ＥＰＧの該当する番組表示に未視聴録画を示す情報を付す。なお、以上の説明においては、録画部と、視聴予約部と、判断部と、未視聴録画表示ＥＰＧ出力部とは、ソフトウェアで構成されているものとして説明したが、ハードウェアで構成されていてもよい。
【００５９】
<処理の流れ>
以下に、本実施形態の処理の流れについて説明する。
図１７は、本実施形態の処理の流れの一例を示すための図である。
まず、視聴予約ステップは、受信する番組の視聴予約をする。
次に、判断ステップは、視聴予約があるかどうか判断する。判断の結果、視聴予約がある場合にはステップＳ１７０２に進み、視聴予約がない場合には、ステップＳ１７０１に戻る。（ステップＳ１７０１）。
次に、判断ステップは、視聴予約がある場合に、予約時刻になったかどうか判断する。判断の結果、予約時刻になっている場合にはステップＳ１７０３に進み、予約時刻になっていない場合には、ステップＳ１７０２に戻る。（ステップＳ１７０２）。
次に、判断ステップは、視聴予約があり、予約時刻になった場合に、予約チャンネルが選局されているかどうか判断する。判断の結果、予約チャンネルが選局されている場合にはステップＳ１７０４に進み、予約チャンネルが選局されていない場合には、ステップＳ１７０７に進む。（ステップＳ１７０３）。
次に、判断ステップは、視聴予約があり、予約時刻になり、予約チャンネルが選局されている場合に、視聴のための出力があるかどうか判断する。判断の結果、視聴のための出力がある場合にはステップＳ１７０５に進み、視聴のための出力がない場合には、ステップＳ１７０７に進む。（ステップＳ１７０４）。
次に、判断ステップは、視聴予約があり、予約時刻になり、予約チャンネルが選局されており、視聴のための出力がある場合には、番組は視聴されていると判断し、ステップＳ１７０６に進む。（ステップＳ１７０５）。
次に、判断ステップは、処理を終了するかどうか判断する。判断の結果、終了する場合には処理を終了し、終了しない場合には、ステップＳ１７０１に戻る。（ステップＳ１７０６）。
次に、判断ステップは、予約チャンネルが選局されていない場合、あるいは視聴のための出力がない場合には、番組は視聴されていないと判断し、ステップＳ１７０８に進む。（ステップＳ１７０７）。
次に、未視聴録画表示ＥＰＧ出力ステップは、番組は視聴されていない場合に、視聴予約された番組を録画部に録画させるかどうか判断する。判断の結果、録画させる場合には、ステップＳ１７０９に進み、録画させない場合には、ステップＳ１７０６に進む。（ステップＳ１７０８）。
次に、未視聴録画表示ＥＰＧ出力ステップは、判断部での判断結果が視聴されていないとの判断結果であり、かつ、視聴予約された番組を録画部に録画させる場合には、ＥＰＧの該当する番組表示に未視聴を示す情報を付し、ステップＳ１７０６に進む。（ステップＳ１７０９）。
【００６０】
<実施形態４の効果の簡単な説明>
本実施形態の記録再生装置によれば、判断部での判断結果が視聴されていないとの判断結果であり、かつ、視聴予約された番組を録画部に録画させる場合には、ＥＰＧの該当する番組表示に未視聴録画を示す情報を付すことができる。
【産業上の利用可能性】
【００６１】
本発明は、視聴予約した番組であっても、急用ができた場合や、他のチャンネルの番組が延長され、視聴予約の番組が視聴できないことがあっても、視聴予約を録画予約に変更することができる記録再生装置に利用可能である。
【図面の簡単な説明】
【００６２】
【図１】実施形態１の概念図
【図２】実施形態１の機能ブロック図
【図３】実施形態１の視聴予約番組リストを説明するための図
【図４】実施形態１のハードウェア構成図
【図５】実施形態１の処理の流れ図
【図６】実施形態２の機能ブロック図
【図７】実施形態２の視聴予約番組、録画予約番組のリストの一例を示すための図
【図８】実施形態２のハードウェア構成図
【図９】実施形態２の処理の流れ図
【図１０】実施形態３の機能ブロック図
【図１１】実施形態３のＥＰＧの該当する番組表示に未視聴を示す情報を付す一例を示すための図
【図１２】実施形態３のハードウェア構成図
【図１３】実施形態３の処理の流れ図
【図１４】実施形態４の機能ブロック図
【図１５】実施形態４のＥＰＧの該当する番組表示に未視聴録画を示す情報を付す一例を示すための図
【図１６】実施形態４のハードウェア構成図
【図１７】実施形態４の処理の流れ図
【符号の説明】
【００６３】
０１０１  視聴予約部
０１０２  出力部
０１０３  判断部
【図１】
2007215060.tif 000003
【図２】
2007215060.tif 000004
【図３】
2007215060.tif 000005
【図４】
2007215060.tif 000006
【図５】
2007215060.tif 000007
【図６】
2007215060.tif 000008
【図７】
2007215060.tif 000009
【図８】
2007215060.tif 000010
【図９】
2007215060.tif 000011
【図１０】
2007215060.tif 000012
【図１１】
2007215060.tif 000013
【図１２】
2007215060.tif 000014
【図１３】
2007215060.tif 000015
【図１４】
2007215060.tif 000016
【図１５】
2007215060.tif 000017
【図１６】
2007215060.tif 000018
【図１７】
2007215060.tif 000019